(57)【要約】【課題】  本発明は、リフレッシュレートが変化しても最適なガンマ値を維持することが可能な液晶表示装置を提供することを目的とする。【解決手段】  液晶表示装置は、液晶パネルと、液晶パネルを駆動するデータドライバと、外部から供給される表示データと制御信号とに基づいてデータドライバを制御する制御回路を含み、データドライバが液晶パネルを駆動する電圧と表示データの階調との関係を制御信号が示す水平周期及び垂直周期の何れかに応じて変化させるように制御回路が構成されることを特徴とする。【選択図】  図２
2006330292.tif 000002
【特許請求の範囲】
【請求項１】
液晶パネルと、
該液晶パネルを駆動するデータドライバと、
外部から供給される表示データと制御信号とに基づいて該データドライバを制御する制御回路
を含み、
該データドライバが該液晶パネルを駆動する電圧と該表示データの階調との関係を該制御信号が示す水平周期及び垂直周期の何れかに応じて変化させるように該制御回路が構成されることを特徴とする液晶表示装置。
【請求項２】
該制御回路は複数の電圧生成回路を含み、該制御信号が示す該水平周期及び該垂直周期の何れかに応じて該複数の電圧生成回路の１つを選択し、該選択した電圧生成回路の生成する電圧を該データドライバに供給するよう構成されることを特徴とする請求項１記載の液晶表示装置。
【請求項３】
該データドライバは、該表示データをＤ／Ａ変換してアナログ電圧を生成するＤ／Ａ変換回路を更に含み、該Ｄ／Ａ変換回路は該選択した電圧生成回路の生成する電圧に応じて該アナログ電圧を生成することを特徴とする請求項２記載の液晶表示装置。
【請求項４】
該制御回路は該表示データを階調変換する階調データ変換回路を含み、該階調データ変換回路は該制御信号が示す該水平周期及び該垂直周期の何れかに応じて該階調変換の変換特性を変化させることを特徴とする請求項１記載の液晶表示装置。
【請求項５】
該制御回路は該階調変換後の表示データと該制御信号とに基づいて該データドライバを制御するよう構成されることを特徴とする請求項４記載の液晶表示装置。
【請求項６】
液晶パネルと該液晶パネルを駆動するデータドライバとを含むユニットに結合され、外部から供給される表示データ信号と制御信号とに基づいて該データドライバを制御するよう構成された制御回路であって、該データドライバが該液晶パネルを駆動する電圧と該表示データの階調との関係を該制御信号が示す水平周期及び垂直周期の何れかに応じて変化させるように構成されることを特徴とする制御回路。
【請求項７】
複数の電圧生成回路を含み、該制御信号が示す該水平周期及び該垂直周期の何れかに応じて該複数の電圧生成回路の１つを選択し、該選択した電圧生成回路の生成する電圧を該データドライバに供給するよう構成されることを特徴とする請求項６記載の制御回路。
【請求項８】
該表示データを階調変換する階調データ変換回路を含み、該階調データ変換回路は該制御信号が示す該水平周期及び該垂直周期の何れかに応じて該階調変換の変換特性を変化させることを特徴とする請求項６記載の制御回路。
【請求項９】
表示データ信号と制御信号とを受け取り、
該表示データ信号と該制御信号とに基づいて液晶パネルを駆動するデータドライバを制御し、
該制御信号が示す水平周期及び垂直周期の何れかを検出し、
該データドライバが該液晶パネルを駆動する電圧と該表示データの階調との関係を該検出された周期に応じて変化させる
各段階を含むことを特徴とする液晶表示パネル駆動方法。
【請求項１０】
該変化させる段階は、該データドライバが該液晶パネルを駆動する電圧と該表示データの階調との関係を複数種類用意しておき、該検出された周期に応じて該複数種類の関係の１つを選択する段階を含むことを特徴とする請求項９記載の液晶表示パネル駆動方法。
【発明の詳細な説明】
【技術分野】
【０００１】
本発明は、液晶表示装置及び液晶表示パネル駆動方法に関し、詳しくはガンマ値制御機能を有した液晶表示装置及び液晶表示パネル駆動方法に関する。
【背景技術】
【０００２】
種々の画像関連機器において、画像階調の入出力特性は一般にガンマ（γ）値によって表現される。例えばＣＲＴの場合には一般に、画面に表示される画像の明るさは入力信号電圧の約２．２乗に比例し、ガンマ値が２．２であると表現される。
【０００３】
このようにガンマ値が１でない場合には、入力信号電圧が画像階調に比例した電圧であっても、表示される画像の明るさは画像階調値に比例しない。ガンマ値が１より大きい場合には、入力信号電圧が小さい領域では、入力信号電圧の変化に対する明るさの変化が緩やかであるが、入力信号電圧が大きくなると、入力信号電圧の変化に対する明るさの変化が急激に大きくなる。逆にガンマ値が１より小さい場合には、入力信号電圧が小さい領域では、入力信号電圧の変化に対する明るさの変化が急峻であるが、入力信号電圧が大きくなると、入力信号電圧の変化に対する明るさの変化が小さくなる。即ちγ＞１の場合は、画像中の黒領域が潰れた出力になり、γ＜１の場合は、画像中の白領域が潰れた出力になる。
【０００４】
カメラ、スキャナ、画像表示装置等の画像関連機器は、それぞれ固有のガンマ値を有する。カメラやスキャナ等で入力した画像を画像表示装置で忠実に再現するためには、画像入力から最終出力までの系全体のガンマが１になるように設定する必要がある。例えば、スキャナのガンマ値が０．５で画像表示装置のガンマ値が２．０であれば、元画像の階調をＩとしてスキャナ出力はＩ０．５、画像表示装置出力はＩ０．５×２．０＝Ｉとなり、元画像の階調を忠実に画像表示装置上で再現することができる。仮に画像表示装置がＣＲＴでありガンマ値が２．２であるとすると、この例の場合には、ＣＲＴ入力信号電圧を２．０／２．２のガンマ値で補正してやれば、ＣＲＴ表示画像が元画像を忠実に再現したものとなる。このように画像出力機器部分において最適なガンマ値を達成するように入出力特性（ガンマ特性）を補正することをガンマ補正という。
【０００５】
液晶表示装置では、トランジスタを含む画素が縦横に配置され、横方向に延びるゲートバスラインが各画素のトランジスタのゲートに接続され、縦方向に延びるデータバスラインがトランジスタを介して各画素の画素電極に接続される。画素電極は、液晶層を介してコモン電極（対抗電極）と向き合っており、各画素に対応したコンデンサを形成する。液晶パネルにデータ表示する際には、ゲートドライバによりゲートバスラインを１ラインずつ順次駆動して１ライン分のトランジスタを導通状態にし、導通されたトランジスタを介して、データドライバから各画素に横１ライン分のデータを一斉に書き込む。
【０００６】
上記のような構成の液晶パネルに適正なタイミングで表示データを書き込んで所望の画像を表示するために、液晶表示装置にはタイミングコントローラが備えられている。このタイミングコントローラは。ホスト側の装置（テレビチューナ又はコンピュータ等）からクロック信号、表示データ、及び表示位置のタイミングを示す表示イネーブル信号を受け取る。タイミングコントローラは、表示イネーブル信号の立ち上がりからクロック信号のクロックパルスを数えることにより水平位置のタイミングを決定し、各種制御信号を生成する。また更に、タイミングコントローラは、表示イネーブル信号の数をカウントすることで、垂直位置のタイミングを決定し、各種制御信号を生成する。また、表示イネーブル信号のＬＯＷ期間が一定のクロックパルス数以上継続する位置を検出することで、各フレームの先頭の位置を検出することができる。
【０００７】
このような液晶表示装置では、表示画像のリフレッシュレート（垂直周期）を数種類のリフレッシュレートの中から選択して使用可能な構成となっている。リフレッシュレートが６０Ｈｚであれば、画像が１秒間に６０回表示画面上に描画されることになる。一般に人間の視知覚特性として、リフレッシュレートが６０Ｈｚ未満であるとちらつきを感じる場合があるので、リフレッシュレートは６０Ｈｚ以上に設定することが望ましい。液晶表示装置の場合には、一般に、ちらつき感や消費電力の観点から６０Ｈｚが最適なリフレッシュレートとなるように、表示セル（画素コンデンサ）の記憶特性が設計・製造されている。しかしユーザのニーズに応じて、７０Ｈｚや８０Ｈｚのように、より高いリフレッシュレートに設定することが可能である。
【０００８】
図１は、液晶表示装置の入力階調と出力輝度との関係を示す図である。図１において横軸は入力階調を示し、縦軸は出力輝度を示す。この入出力特性（階調輝度特性）が上記ガンマ値に対応する。
【０００９】
図１には、異なるリフレッシュレート（１８．５Ｈｚ，３６．９Ｈｚ，６０Ｈｚ，７５Ｈｚ，８５Ｈｚ）においての入出力特性が示されている。図示されるように、液晶表示装置の場合には、リフレッシュレートに応じて入出力特性が異なることが分かる。
【００１０】
例えば標準設定の６０Ｈｚのリフレッシュレートに対して最適なガンマ値を提供するように液晶表示装置が設定されていたとしても、リフレッシュレートを変化させると、これに伴いガンマ値も変化してしまう。従って変化後のリフレッシュレートの設定では、最適なガンマ値（入出力特性）が達成されないことになる。
【発明の開示】
【発明が解決しようとする課題】
【００１１】
以上を鑑みて本発明は、リフレッシュレートが変化しても最適なガンマ値を維持することが可能な液晶表示装置を提供することを目的とする。
【課題を解決するための手段】
【００１２】
本発明による液晶表示装置は、液晶パネルと、該液晶パネルを駆動するデータドライバと、外部から供給される表示データと制御信号とに基づいて該データドライバを制御する制御回路を含み、該データドライバが該液晶パネルを駆動する電圧と該表示データの階調との関係を該制御信号が示す水平周期及び垂直周期の何れかに応じて変化させるように該制御回路が構成されることを特徴とする。
【００１３】
また本発明による液晶表示パネル駆動方法は、表示データ信号と制御信号とを受け取り、該表示データ信号と制御信号とに基づいて液晶パネルを駆動するデータドライバを制御し、該制御信号が示す水平周期及び垂直周期の何れかを検出し、該データドライバが該液晶パネルを駆動する電圧と該表示データの階調との関係を該検出された周期に応じて変化させる各段階を含むことを特徴とする。
【発明の効果】
【００１４】
本発明の少なくとも１つの実施例によれば、データドライバが液晶パネルを駆動する電圧と表示データの階調との関係を、制御信号が示す水平周期及び垂直周期の何れかに応じて変化させるので、リフレッシュレートが変化しても最適なガンマ値を維持することができる。
【発明を実施するための最良の形態】
【００１５】
以下に、本発明の実施例を添付の図面を用いて詳細に説明する。
【００１６】
図２は、本発明による液晶表示装置の構成を示す図である。
【００１７】
図２の液晶表示装置は、ＬＣＤパネル１０、制御回路１１、ゲートドライバ１２、データドライバ１３、インバータ回路１４、及びバックライト１５を含む。ＬＣＤパネル１０には、トランジスタを含む画素が縦横に配置される。ゲートドライバ１２から横方向に延びるゲートバスラインＧＬが各画素のトランジスタのゲートに接続され、データドライバ１３から縦方向に延びるデータバスラインＤＬがトランジスタを介して画素電極に画素データを書き込む。
【００１８】
制御回路１１のタイミングコントローラ＆電源回路１１ａは、ホスト装置から表示データ信号及び各種制御信号（タイミング信号）を、インターフェースを介して受け取る。表示データ信号及び各種制御信号（タイミング信号）には、クロック信号ＤＣＬＫ、表示データＲＧＢ０−６、及び表示位置のタイミングを示す表示イネーブル信号ＥＮＡＢ等が含まれる。タイミングコントローラ＆電源回路１１ａは、表示イネーブル信号ＥＮＡＢの立ち上がりからクロック信号のクロックパルスを数えることにより水平位置のタイミングを決定し、ドライバ駆動用の各種制御信号を生成する。また更に、タイミングコントローラ＆電源回路１１ａは、表示イネーブル信号ＥＮＡＢの数をカウントすることで、垂直位置のタイミングを決定し、ドライバ駆動用の各種制御信号を生成する。また、表示イネーブル信号ＥＮＡＢのＬＯＷ期間が一定のクロックパルス数以上継続する位置を検出することで、各フレームの先頭の位置を検出することが出来る。
【００１９】
タイミングコントローラ＆電源回路１１ａからゲートドライバ１２に供給される制御信号は、ゲートクロック信号及びスタートパルス信号を含む。ゲートクロック信号は、信号の立ち上がりに同期して駆動するゲートバスラインを１ラインずつシフトさせるための同期信号である。具体的には、ゲートがオンになる横方向１ライン分のトランジスタを、ゲートクロック信号の立ち上がりに同期して１ラインずつ縦方向にシフトさせることになる。スタートパルス信号は、先頭のゲートバスラインをオンさせるタイミングを指定する同期信号であり、フレームの開始タイミングに相当する。
【００２０】
タイミングコントローラ＆電源回路１１ａからデータドライバ１３に供給される制御信号は、ドットクロック信号、データスタート信号、ラッチパルス、及びポラリティ信号を含む。ドットクロック信号は、表示データを立ち上がり同期でレジスタに取りこむためのクロックパルスである。データスタート信号は、当該データドライバ１３が表示する分の表示データの開始位置を示す信号である。このデータスタート信号のタイミングを開始点として、各画素に対応する表示データをドットクロック信号により順次レジスタに取り込む。ラッチパルスは、レジスタに順次取り込まれた表示データを内部ラッチにラッチするための信号である。ラッチされた表示データ信号はＤＡコンバータに転送され、ＤＡコンバータによりアナログ階調信号に変換され、データバスライン駆動信号としてＬＣＤパネル１０に出力される。またポラリティ信号は、ＤＡコンバータに入力される信号であり、この信号により各データバスラインの出力極性を指示する。液晶の特性劣化を防ぐために各データバスラインの出力極性を時間的に反転させる動作が必要であるので、このポラリティ信号を用いてコモン電圧に対する各データバスラインの出力極性を選択する。
【００２１】
インバータ回路１４は、直流電源電圧に基づいて冷陰極管を点灯するための高電圧を生成し、バックライト１５に供給する。バックライト１５は、ＬＣＤパネル１０に背面から光を照射する。
【００２２】
図３は、タイミングコントローラ＆電源回路１１ａの構成を示す図である。タイミングコントローラ＆電源回路１１ａは、タイミング作成回路２１、水平／垂直周期監視回路２２、階調電源選択回路２３、階調電源作成回路２４−１乃至２４−３、及び電源作成回路２５を含む。
【００２３】
タイミング作成回路２１は、クロック信号ＤＣＬＫ、表示データＲＧＢ、及び表示位置のタイミングを示す表示イネーブル信号ＥＮＡＢを受け取り、前述の各種タイミング信号を生成する。生成されたタイミング信号のうち、ゲートクロック信号及びスタートパルス信号はゲートドライバ１２に供給される。またドットクロック信号、データスタート信号、ラッチパルス、及びポラリティ信号は、表示データとともにデータドライバ１３に供給される。
【００２４】
水平／垂直周期監視回路２２は、クロック信号ＤＣＬＫ及び表示イネーブル信号ＥＮＡＢを受け取り、これらの信号に基づいて選択リフレッシュレートを検知する。水平／垂直周期監視回路２２は、検知した選択リフレッシュレートを示す検知信号を階調電源選択回路２３に供給する。
【００２５】
階調電源選択回路２３は、水平／垂直周期監視回路２２から供給される検知信号と、階調電源作成回路２４−１乃至２４−３から供給されるそれぞれの階調電圧群（この例では３つの階調電圧群）とを受け取る。階調電源選択回路２３は、検知信号が示す選択リフレッシュレートに対応する階調電圧群を選択し、選択した階調電圧群をデータドライバ１３に供給する。
【００２６】
電源作成回路２５は、ＬＣＤパネル１０、ゲートドライバ１２、及びデータドライバ１３を駆動するための電源電圧を生成する。生成された電源電圧は、ＬＣＤパネル１０、ゲートドライバ１２、及びデータドライバ１３に供給される。
【００２７】
図４は、データドライバ１３の構成の一例を示す図である。図４のデータドライバ１３は、シフトレジスタ部３１、データレジスタ部３２、ラッチ部３３、レベルシフト部３４、Ｄ／Ａコンバータ部３５、及び出力部３６を含む。
【００２８】
シフトレジスタ部３１は、タイミング作成回路２１から供給されるドットクロック信号ＩＣＬＫに同期して、データレジスタ部３２に接続される複数の出力線を順次一本ずつアサートする。複数の出力線を順次一本ずつアサートする動作のスタートタイミングは、データスタート信号ＳＴが指示するタイミングである。具体的には、シフトレジスタ部３１のシフトレジスタを構成する各段のフリップフロップが、データスタート信号ＳＴを順次ラッチして出力することにより、データレジスタ部３２に接続される複数の出力線を順次一本ずつアサートする。データドライバ１３が複数のデータドライバのカスケード接続から構成される場合、最終段のフリップフロップから出力されたデータスタート信号ＳＴは、次段のデータドライバに供給される。
【００２９】
データレジスタ部３２は、シフトレジスタ部３１から接続される出力線が順次一本ずつアサートされるのに応答して、順番に供給されるＲＧＢ表示データを内部レジスタ回路に格納する。このようにして、データレジスタ部３２には、１つの表示ライン（ゲートバスライン）上の対応する部分の表示データが格納される。データレジスタ部３２に格納された表示データは、ラッチパルスＬＰに同期してラッチ部３３にラッチされる。
【００３０】
ラッチ部３３に格納されたデジタル表示データは、電圧範囲を適合させるためのレベルシフト部３４を介してＤ／Ａコンバータ部３５に供給される。Ｄ／Ａコンバータ部３５には、各データバスラインに対応してＤＡ変換回路が設けられており、このＤＡ変換回路で入力表示データをＤＡ変換し、アナログ階調信号として出力する。
【００３１】
具体的には、Ｄ／Ａコンバータ部３５は、図３に示す階調電源選択回路２３が選択した階調電圧群を、階調電源選択回路２３から受け取る。この階調電圧群は、例えば表示する階調数に等しい数の複数の電圧からなる。この場合、各電圧は１つの階調に対応する。各ＤＡ変換回路は、デジタル表示データの階調に対応する電圧を階調電圧群から選択して、選択した電圧をアナログ階調信号として出力する。階調電源選択回路２３から供給される階調電圧群は、表示する階調数より少ない数の複数の電圧（基準電圧群）であってもよい。この場合、各ＤＡ変換回路は、基準電圧群の電圧間を更に分圧することで全階調に対応する階調電圧群を生成し、デジタル表示データの階調に対応する電圧を階調電圧群から選択して、選択した電圧をアナログ階調信号として出力する。
【００３２】
出力部３６は、各データバスライン毎に設けられる出力バッファを含み、各出力バッファがＤ／Ａコンバータ部３５から対応するアナログ階調信号を受け取る。各出力バッファは、受け取ったアナログ階調信号を、データバスラインを駆動するデータバスライン駆動信号としてＴＦＴ基板へ出力する。
【００３３】
本発明においては、データドライバ１３がデータバスライン駆動のために使用する階調電圧群が、選択リフレッシュレートに応じて選択された階調電圧群である。従って、各リフレッシュレートに対応する階調電圧群を、最適なガンマ値を達成するように設定しておくことで、リフレッシュレートが変化しても最適なガンマ値を維持することができる。
【００３４】
図５は、タイミングコントローラ＆電源回路１１ａの別の構成例を示す図である。図５において、図３と同一の構成要素は同一の番号で参照し、その説明は省略する。
図５のタイミングコントローラ＆電源回路１１ａは、タイミング作成回路２１、水平／垂直周期監視回路２２、階調電源作成回路２４、電源作成回路２５、及び階調データ変換回路４１を含む。
【００３５】
水平／垂直周期監視回路２２は、検知した選択リフレッシュレートを示す検知信号を階調データ変換回路４１に供給する。階調データ変換回路４１は、水平／垂直周期監視回路２２から供給される検知信号と、ホスト装置から供給される表示データＲＧＢとを受け取る。階調データ変換回路４１は、検知信号が示す選択リフレッシュレートに対応する階調変換特性に基づいて表示データＲＧＢの階調を変換し、階調変換後の表示データをタイミング作成回路２１に供給する。
【００３６】
具体的には、複数のリフレッシュレートに対応する階調変換特性を有した複数の階調変換回路を設けておき、検知信号が示す選択リフレッシュレートに対応する１つの階調変換回路を選択し、選択した階調変換回路により表示データＲＧＢの階調を変換する構成としてよい。なお標準のリフレッシュレートの場合には、無変換（即ち入出力が同一となる変換回路を使用）としてよい。
【００３７】
タイミング作成回路２１は、クロック信号ＤＣＬＫ、階調変換後の表示データ、及び表示位置のタイミングを示す表示イネーブル信号ＥＮＡＢを受け取り、前述の各種タイミング信号を生成する。生成されたタイミング信号のうち、ゲートクロック信号及びスタートパルス信号はゲートドライバ１２に供給される。またドットクロック信号、データスタート信号、ラッチパルス、及びポラリティ信号は、階調変換後の表示データとともにデータドライバ１３に供給される。
【００３８】
階調電源作成回路２４は階調電圧群を生成し、生成した階調電圧群をデータドライバ１３に供給する。即ち図５の構成においては、データドライバ１３に供給される階調電圧群は、リフレッシュレートに関わらず固定である。
【００３９】
図５の構成を用いる場合、本発明においては、データドライバ１３がデータバスラインを駆動する際の基礎となる表示データが、選択リフレッシュレートに応じて選択した階調変換特性により変換した表示データである。従って、各リフレッシュレートに対応する階調変換特性を、最適なガンマ値を達成するように設定しておくことで、リフレッシュレートが変化しても最適なガンマ値を維持することができる。
【００４０】
図６は、水平／垂直周期監視回路２２の回路構成の一例を示す図である。図６の水平／垂直周期監視回路２２は、フリップフロップ５１乃至５４、ＮＡＮＤ回路５５、ＡＮＤ回路５６、バイナリカウンタ５７、デコーダ５８乃至６０、セレクタ６１、及びアナログスイッチ６２を含む。
【００４１】
図６のフリップフロップ５１及び５２並びにＮＡＮＤ回路５５から構成される回路部分は、表示イネーブル信号ＥＮＡＢとクロック信号ＣＬＫ（例えばドットクロック信号ＤＣＬＫ）とに基づいて、各水平周期の開始タイミングから１クロック後のタイミングでＬＯＷになるパルス信号を生成する。このＬＯＷパルスは、バイナリカウンタ５７に供給される。
【００４２】
バイナリカウンタ５７は、リフレッシュレートを測定するためのクロック信号ＣＬＫ２（ドットクロック信号ＤＣＬＫとは独立に生成した参照用のクロック信号）のパルスの数をカウントする（クロック信号ＣＬＫ２の各パルスに応答してカウントアップする）。上記ＬＯＷパルスによりバイナリカウンタ５７をリセットすることで、各水平周期にクロック信号ＣＬＫ２のパルスが幾つ含まれるかをカウントすることができる。
【００４３】
デコーダ５８乃至６０は、上記カウントの値をデコードし、カウント値が所定値以上になると出力をＨＩＧＨにする。この所定値は、デコーダ５８乃至６０ごとに異なる値である。従ってデコーダ５８乃至６０の出力に基づいて、水平周期の長さを大まかに判定することができる。これらデコーダ５８乃至６０の出力はセレクタ６１に供給される。
【００４４】
フリップフロップ５３及び５４並びにＡＮＤ回路５６から構成される回路部分は、表示イネーブル信号ＥＮＡＢとクロック信号ＣＬＫ２とに基づいて、クロック信号ＣＬＫ２に同期して各水平周期の終了タイミングでＨＩＧＨになるパルス信号を生成する。このＨＩＧＨパルス信号はセレクタ６１のイネーブル端子ＥＮに供給される。
【００４５】
セレクタ６１は、デコーダ５８乃至６０の出力に基づいて、５０Ｈｚを示す信号、６０Ｈｚを示す信号、７５Ｈｚを示す信号の何れか１つをＨＩＧＨにする。アナログスイッチ６２は、セレクタ６１から供給される５０Ｈｚ、６０Ｈｚ、７５Ｈｚの何れかを示す信号に基づいて、５０Ｈｚ用基準電圧群（或いは階調電圧群）、６０Ｈｚ基準電圧群（或いは階調電圧群）、７５Ｈｚ基準電圧群（或いは階調電圧群）の何れか１つを選択し、選択した電圧群を出力する。出力された電圧群は、データドライバ１３に供給される。
【００４６】
図７は、図６の回路の動作を示すタイミング図である。図６の回路の動作について、図７を用いて説明する。
【００４７】
図７において示される各信号は、図６の回路図にその位置が示されている。信号Ａはフリップフロップ５１の非反転出力であり、信号Ｂはフリップフロップ５２の反転出力、信号ＣはＮＡＮＤ回路５５の出力、信号Ｄはフリップフロップ５３の反転出力、信号Ｅはフリップフロップ５４の非反転出力、信号ＦはＡＮＤ回路５６の出力、信号Ｇ乃至Ｉはそれぞれデコーダ５８乃至６０の出力、信号Ｊ乃至Ｌはセレクタ６１の出力である。
【００４８】
表示イネーブル信号ＥＮＡＢは、各水平周期において表示データが有効な期間においてＨＩＧＨとなり、表示データが有効な期間を示す信号である。表示イネーブル信号ＥＮＡＢをフリップフロップ５１でクロック信号ＣＬＫの１クロック分遅らせて信号Ａを生成する。更にこの信号Ａをフリップフロップ５２でクロック信号ＣＬＫの１クロック分遅らせて反転することにより、信号Ｂを生成する。ＮＡＮＤ回路５５で信号Ｂと信号ＣとのＮＡＮＤをとることにより、各水平周期の開始タイミング（厳密にはクロック信号ＣＬＫの１クロック後）にＬＯＷになるパルス信号Ｃが得られる。
【００４９】
この信号ＣのＬＯＷパルスによりバイナリカウンタ５７をリセットする。従ってバイナリカウンタ５７のカウント値（図７に「カウント」として示される）は、各水平周期の開始タイミングに合わせて初期値０からカウントアップ動作を開始することになる。なお前述のように、バイナリカウンタ５７のカウントアップ動作はクロック信号ＣＬＫ２に同期している。
【００５０】
デコーダ５８はカウント値が例えば３以上になると、その出力信号ＧをＨＩＧＨとする。デコーダ５９は例えばカウント値が５以上になると、その出力信号ＨをＨＩＧＨとする。デコーダ５９は例えばカウント値が７以上になると、その出力信号ＩをＨＩＧＨとする。カウント値の最終値は水平周期の長さに比例する値である。従って、クロック信号ＣＬＫ２の周期に合わせてデコーダ５８乃至６０を適宜設定することで、例えばリフレッシュレート７５Ｈｚの時には信号ＧのみがＨＩＧＨとなり、リフレッシュレート６０Ｈｚの時には信号Ｇ及び信号ＨがＨＩＧＨとなり、リフレッシュレート５０Ｈｚの時には信号Ｇ、信号Ｈ、信号Ｉの全てがＨＩＧＨになるように構成することができる。
【００５１】
また表示イネーブル信号ＥＮＡＢをフリップフロップ５３でクロック信号ＣＬＫ２に同期させ、反転することで信号Ｄを生成する。更にフリップフロップ５３の非反転出力（信号Ｄの反転）をフリップフロップ５４でクロック信号ＣＬＫ２の１クロック分遅らせることにより、信号Ｅを生成する。ＡＮＤ回路５６で信号Ｄと信号ＥとのＡＮＤをとることにより、各水平周期の終了タイミングでクロック信号ＣＬＫ２に同期してＨＩＧＨになるパルス信号Ｆが得られる。
【００５２】
このパルス信号ＦのＨＩＧＨによりセレクタ６１をイネーブル状態とする。即ちパルス信号ＦのＨＩＧＨのタイミングでの信号Ｇ、信号Ｈ、及び信号Ｉの状態に応じて、セレクタ６１は５０Ｈｚを示す信号Ｊ、６０Ｈｚを示す信号Ｋ、７５Ｈｚを示す信号Ｌの何れか１つをＨＩＧＨにする。
【００５３】
図６に示した水平／垂直周期監視回路２２は、図７を用いて説明したように、水平周期の測定に基づいてリフレッシュレートを検出する構成となっている。水平／垂直周期監視回路２２はこのような構成に限定されるものではなく、垂直周期の測定に基づいてリフレッシュレートを検出する構成としてもよい。前述のように、表示イネーブル信号のＬＯＷ期間が一定のクロックパルス数以上継続する位置を検出することで、各フレームの先頭の位置を検出することが可能であり、例えばこれを利用して垂直周期を測定すればよい。
【００５４】
以上、本発明を実施例に基づいて説明したが、本発明は上記実施例に限定されるものではなく、特許請求の範囲に記載の範囲内で様々な変形が可能である。
【図面の簡単な説明】
【００５５】
【図１】液晶表示装置の入力階調と出力輝度との関係を示す図である。
【図２】液晶表示装置の構成を示す図である。
【図３】タイミングコントローラ＆電源回路の構成を示す図である。
【図４】データドライバの構成の一例を示す図である。
【図５】タイミングコントローラ＆電源回路の別の構成例を示す図である。
【図６】水平／垂直周期監視回路の回路構成の一例を示す図である。
【図７】図６の回路の動作を示すタイミング図である。
【符号の説明】
【００５６】
１０  ＬＣＤパネル
１１  制御回路
１２  ゲートドライバ
１３  データドライバ
１４  インバータ回路
１５  バックライト
２１  タイミング作成回路
２２  水平／垂直周期監視回路
２３  階調電源選択回路
２４−１乃至２４−３  階調電源作成回路
２５  電源作成回路
４１  階調データ変換回路
【図１】
2006330292.tif 000003
【図２】
2006330292.tif 000004
【図３】
2006330292.tif 000005
【図４】
2006330292.tif 000006
【図５】
2006330292.tif 000007
【図６】
2006330292.tif 000008
【図７】
2006330292.tif 000009